(57)【要約】【課題】電気供給設備、水供給設備が必要なく、かつ、初期設備費用を低く抑えることができる乾式靴清浄装置を提供する。【解決手段】圧縮エアーを噴出可能な送風具と、箱体の上部にあって、靴を履いたままの足を乗せることが可能で、かつ靴に付着していて、前記圧縮エアーにより吹き飛ばされた異物を通過可能とする格子状板、および前記箱体内にあって、前記格子状板の下方に位置し、かつ後下方へ向かって傾斜する整流板を有する靴清浄台と、前記整流板の最下部で、前記整流板から前記圧縮エアーにより吹き飛ばれた異物を受ける異物収集箱と、前記異物収集箱の上方に位置し、前記異物収集箱で舞い上がった異物を受けるフィルターとを備えている。【選択図】図１
2019141200.tif 000002
【特許請求の範囲】
【請求項１】
圧縮エアーを噴出可能な送風具と、
箱体の上部にあって、靴を履いたままの足を乗せることが可能で、かつ靴に付着していて、前記圧縮エアーにより吹き飛ばされた異物を通過可能とする格子状板、および前記箱体内にあって、前記格子状板の下方に位置し、かつ後下方へ向かって傾斜する整流板を有する靴清浄台と、
前記整流板の最下部で、前記整流板から前記圧縮エアーにより吹き飛ばれた異物を受ける異物収集箱と、
前記異物収集箱の上方に位置し、前記異物収集箱内で舞い上がった異物を受けるフィルターとを備えていることを特徴とする乾式靴清浄装置。
【請求項２】
前記異物収集箱は、前記靴清浄台と分離することができようになっていることを特徴とする請求項１に記載の乾式靴清浄装置。
【請求項３】
前記フィルターの後面に、閉塞板が張られていることを特徴とする請求項１または２に記載の乾式靴清浄装置。
【発明の詳細な説明】
【技術分野】
【０００１】
本発明は、ゴルフシューズ等の底または甲に付着した土、泥、あるいは草の葉等を、手を一切触れることなく、また水を使用することなく、圧縮エアーで吹き飛ばして、除去させるようにした乾式靴清浄装置に関する。
【背景技術】
【０００２】
従来、プレイ後のゴルフシューズ等に付着している土、泥、草の葉等の異物を除去するためには、靴を履いたままの足を、片方ずつ、水を張った水洗台で洗浄し、その後、乾燥台で圧縮エアーを用いて異物を吹き飛ばしつつ、靴を乾燥させる設備が、一般的に用いられている。しかし、このような洗浄設備は、初期設置費用が高く、さらに、電気供給設備、水供給設備に加えて、排水設備も必要となる。
【０００３】
一方、圧縮エアーのみを用いた乾式靴清浄装置として、特許文献１には、ズボン及び靴等に付着した異物、雪等を除去するためのクリーナーに係る考案が開示されているが、これは、圧縮空気を利用したエアーダスターによって除去された異物等を吸引する吸気ファンを配設した集塵用吸気通路を有する装置本体を備え、かつ前記吸気通路内に、吸引された異物等を吸着する水槽を設けたものである。
【先行技術文献】
【特許文献】
【０００４】
【特許文献１】実公平４―６６９２号公報
【発明の概要】
【発明が解決しようとする課題】
【０００５】
特許文献１に係る集塵装置付クリーナーを使用するためには、電気供給設備、水供給設備に加えて、吸気ファン、水槽等が必要であり、初期設備費用だけでなく、水槽内に溜まった異物を含んでいる水を処理する費用も大となる。
【０００６】
そこで、本発明は、電気供給設備、水供給設備が必要なく、かつ、初期設備費を低く抑えることができる乾式靴清浄装置を提供することを課題としている。
【課題を解決するための手段】
【０００７】
（１）上記課題を解決するために、本発明の乾式靴清浄装置は、
圧縮エアーを噴出可能な送風具と、
箱体の上部にあって、靴を履いたままの足を乗せることが可能で、かつ靴に付着していて、前記圧縮エアーにより吹き飛ばされた異物を通過可能とする格子状板、および前記箱体内にあって、前記格子状板の下方に位置し、かつ後下方へ向かって傾斜する整流板を有する靴清浄台と、
前記整流板の最下部で、前記整流板から前記圧縮エアーにより吹き飛ばれた異物を受ける異物収集箱と、
前記異物収集箱の上方に位置し、前記異物収集箱内で舞い上がった異物を受けるフィルターとを備えているものとする。
【０００８】
圧縮エアーで靴を清浄する際、送風具から噴出する圧縮エアーは、周囲の空気を引き寄せて流れるため、靴の清浄中に流れの乱れおよび逆流が起こりにくく、異物の飛散が起きにくい。さらに、清浄しようとする靴を乗せる格子状板は、後上方へ向かって傾斜しているため、履いている靴に対し、送風具を操作して圧縮エアーを噴射させる方向は、格子状板の下方に位置し、かつ後下方へ向かって傾斜を続ける整流板と平行な向きになりやすくなる。したがって、送風具から噴出する空気の流れは、乱れることなく、整流板に沿って、その傾斜する方向に流れるようになる。
【０００９】
（２）前記異物収集箱は、前記靴清浄台と分離することができるようになっているものとする。
【００１０】
異物収集箱を靴清浄台から取り外し、異物収集箱内に蓄積した異物を、効率よく取り除くことができる。
【００１１】
（３）前記フィルターの後面に、閉塞板が張られているものとする。
【００１２】
フィルターの後面に閉塞板を張ることによって、本発明の乾式靴清浄装置を、建物の壁等に接して設置しうるものとすることができる。
【発明の効果】
【００１３】
本発明の乾式靴清浄装置によれば、靴に付着している土、泥、草の葉等の異物を、圧縮エアーで効果的に除去することができ、しかも、靴清浄装置自体を、コンパクトに、かつ安価に製作しうるものとすることができる。
【図面の簡単な説明】
【００１４】
【図１】本発明の一実施形態に係る乾式靴清浄装置の全体斜視図である。
【図２】図１におけるＩＩ−ＩＩ線縦断面図である。
【図３】異物収集箱と靴清浄台との間に漸縮部を設けた本発明の他の実施形態に係る乾式靴清浄装置の全体斜視図である。
【発明を実施するための形態】
【００１５】
以下、本発明の実施形態を図面を参照して説明する。なお、各図において、同様の部分には、同一符号を付してある。
【００１６】
図１に示す本発明の乾式靴清浄装置１は、靴清浄台１０、異物収集箱２０およびフィルター３０を備えている。また、本発明の乾式靴清浄装置１は、清浄用圧縮エアーを噴出する送風具４１、手すり５１等も備えている。
【００１７】
本発明の乾式靴清浄装置１は、１組もしくは複数組が、例えば、ゴルフ場のクラブハウスまたは食堂の入口に設置されるものである。また、本発明の乾式靴清浄装置１は、水を必要としないため、気温の低いスキー場の宿舎または食堂の入口等に設置して、靴およびズボンに付着している雪等を除去するのにも適している。
【００１８】
図に示すように、靴清浄台１０は、後上方へ向かって傾斜する格子状板１１と、直角台形の斜辺部が上辺に位置する形状で、箱体の一部を形成する左右側板１２、１２と、箱体の他の一部を形成する長方形状の前板１３とから外側が構成され、後面は空気流れの通路として開放されている。靴清浄台１０の後面の上部には、左右側板１２，１２同士を繋ぎ、かつ格子状板１１の後端部を支える上部桟１４が設けられている。靴清浄台１０の内部には、前縁が前板１３に当接し、かつ左右側板１２、１２に接しながら後下方へ向かって傾斜する整流板１５が設けられている。
【００１９】
図２をも参照して、格子状板１１および整流板１５につき詳細に説明する。格子状板１１は、靴を履いたまま清浄操作を行う所で、靴を履いたまま足を乗せやすいように後上方へ向かって傾斜している。格子状板１１は、片足を乗せることができる寸法および強度を有していれば、格子状だけではなく、線径の太い金網でもよいし、パンチングプレートであってもよい。
【００２０】
なお、格子状板１１を靴清浄台１０に対して着脱可能としておけば、必要に応じて格子状板１１を取り外して、整流板１５の上に付着している異物Ｄを容易に除去することができる。
【００２１】
整流板１５は、靴清浄台１０において送風具４１を用いて靴を清浄するときに用いる圧縮エアーＥを後下方へ向かって傾斜する方向に整流するためのものである。上記のように、清浄する靴を乗せる格子状板１１は、後上方へ向かって傾斜しているため、格子状板１１に靴を乗せた姿勢で清浄操作を行うと、図２に示すように、送風具４１から噴出する圧縮エアーＥの方向は、後下方へ向かって傾斜する整流板１５と平行な成分が多くなる。そのため、圧縮エアーＥの流れは、格子状板１１の下方に位置し、後下方へ向かって傾斜する整流板１５に沿う流れとなる。
【００２２】
なお、靴清浄台１０は、左右側板１２、１２と前板１３とから成り、底板が設けられていないため、靴から除去された異物Ｄが格子状板１１から地上に落下することを防止するため、整流板１５と前板１３および左右側板１２、１２とは、溶接等で隙間ができないように製作される。
【００２３】
なお、靴清浄台１０の据付けを確実に行うために、左右側板１２、１２の下部に、アンカー用の据付片１６、１６を設けてある。
【００２４】
異物収集箱２０は、左右側板２１、２１、後板２２および底板２３より構成され、前面および上面は、空気流れの通路として開放されている。
【００２５】
図１に示すように、底板２３の前端部は、上方に折れ曲がり、整流板１５の下面と接している。そのため、整流板１５に沿って流下する空気流れに同伴された異物Ｄが、靴清浄台１０の下部に入り込むことはない。
【００２６】
異物収集箱２０に流入する空気流れに同伴された異物Ｄは、異物収集箱２０の後板２２および底板２３に衝突して、異物収集箱２０に捕集され、底板２３上に蓄積する。この異物Ｄを取り除くため、異物収集箱２０は、靴清浄台１０から取り外し可能としてある。そのため、異物収集箱２０には、取手２４を設けてある。
【００２７】
フィルター３０は、立方体状の枠体３１、金網が張られた左右側板３２、３２、前板３３、上板３４、および閉塞板が張られた後板３５とから構成され、底面は、異物収集箱２０からの空気流れの通路として開放されている。圧縮エアーＥに同伴された異物Ｄの多くは、異物収集箱２０の後板２２および底板２３に衝突して捕集されるが、捕集しきれなかった細かな異物Ｄは、空気流れに同伴されて、フィルター３０で捕捉される。
【００２８】
後板３５を閉塞板としたのは、本発明の乾式靴清浄装置１は、後側を建物の壁に接して設置することを予定しているためで、後側に壁等の障害物がない状況で用いる場合には、閉塞板に代えて金網を用いてもよい。また、前板３３は、靴を清浄している人と相対する位置となるため、靴の清浄者側への空気の流れをなくすために、金網に代えて閉塞板を設けてもよい。
【００２９】
フィルター３０の上部には、フィルター３０のみを持ち上げるための取手３６を設けている。
【００３０】
本発明の乾式靴清浄装置１は、上記以外に、送風具４１及び手すり５１等を含んでいる。送風具４１は、靴清浄用の圧縮エアーＥを噴出するもので、圧縮エアーＥは、可撓管４２を通じて外部から供給されるようになっている。手すり５１は、靴を清浄する人が安定して清浄作業を行うために掴むものである。送風具４１は、靴清浄に使われないときは、手すり５１の掛止部５２に掛け止めしておかれる。
【００３１】
靴清浄台１０、異物収集箱２０およびフィルター３０は、アルミニウム、スチール、ステンレススチール、プラスチック、木等からなり、また、フィルター３０で用いられる金網に代えて、例えば、ポリプロピレン、ポリエステル等のフィルター用不織布、綿製のマスク用生地等の布を用いてもよい。
【００３２】
次に、本装置の使用要領について説明する。ゴルフ等のプレーヤーは、履いている靴に付着した土、泥、あるいは草の葉等の異物Ｄを除去するためには、まず靴を履いたまま靴清浄台１０に片足を載せる。そして、一方の手で手すり５１を掴み、他方の手で送風具４１を操作して、異物Ｄが付着している箇所に圧縮エアーＥを吹き付ける。
【００３３】
この際、清浄する靴を乗せる格子状板１１は、後上方へ向かって傾斜しているため、格子状板１１に靴を載せた姿勢で清浄操作を行うと、送風具４１から噴出する圧縮エアーＥの方向は、格子状板１１の下方に位置し、後下方へ向かって傾斜を続ける整流板１５と平行な向きに流れやすくなる。
【００３４】
ここで、送風具４１から噴出する圧縮エアーＥは、周囲の空気を引き寄せて流れるため、靴の清浄中に、異物Ｄの飛散が起きにくくなる。
【００３５】
さらに、上記のように圧縮エアーＥの流れは、整流板１５と平行に流れやすいため、清浄後の異物Ｄを同伴した圧縮エアーＥは、整流板１５に沿って、異物収集箱２０に流入しやすくなる。そのため、圧縮エアーＥおよびそれに同伴される異物Ｄが、靴を清浄している人に吹きつけるおそれは小さい。
【００３６】
整流板１５に沿って流れる圧縮エアーＥは、異物収集箱２０に流入し、空気流れに同伴された異物Ｄは、異物収集箱２０の後板２２、底板２３に衝突して、異物収集箱２０に捕集される。
【００３７】
異物収集箱２０に捕集された異物Ｄの状況は、フィルター３０を取り外して容易に確認することができる。捕集された異物Ｄを取り除くためには、異物収集箱２０のみを取り外せばよいので、維持管理は簡単である。
【００３８】
異物収集箱２０への流入によって流速が減少した空気流れは、フィルター３０に流入し、金網を通って大気中に流出する。一方、異物収集箱２０で捕集しきれなかった細かい異物Ｄは、フィルター３０の金網で捕捉される。
【００３９】
つぎに、本発明の他の実施形態について説明する。
【００４０】
図３は、靴清浄台１０と異物収集箱２０との連結部に漸縮部６０を設けた乾式靴清浄装置を示している。漸縮部６０を設けることによって、異物収集箱２０の幅および奥行を減少させることができる。
【００４１】
また、異物収集箱２０を小さくすることができるので、捕集された異物Ｄを取り除く作業は、さらに楽になる。この場合には、異物収集箱２０は、漸縮部６０から分離できるようにする。
【符号の説明】
【００４２】
１    乾式靴清浄装置
１０  靴清浄台
１１  格子状板
１２  側板
１３  前板
１４  上部桟
１５  整流板
１６  据付片
２０  異物収集箱
２１  側板
２２  後板
２３  底板
２４  異物収集箱用取手
３０  フィルター
３１  枠体
３２  側板
３３  前板
３４  上板
３５  後板
３６  取手
３７  フィルター漸縮部
４１  送風具
４２  可撓管
５１  手すり
５２  掛止部
６０  漸縮部
【図１】
2019141200.tif 000003
【図２】
2019141200.tif 000004
【図３】
2019141200.tif 000005